(57)【要約】【課題】ＨＣＵアキュムレータ充填専用またはブースタ用のポンプで負担することにより、制御棒駆動水ポンプの長期性能維持および高揚程仕様の緩和等を図る。【解決手段】制御棒駆動機構を水圧により制御する複数の水圧制御ユニット１０、および各水圧ユニットに設けられ高圧ガスにより水を加圧状態で収容するＨＣＵアキュムレータ１５を備え、充填水ライン１１に、単独でＨＣＵアキュムレータ１５への必要圧力を充填し得る充填水ポンプ２４を設置する。【選択図】  図１
2006046973.tif 000002
【特許請求の範囲】
【請求項１】
制御棒駆動水ポンプの吐出側に圧力計を備えた充填水ラインを設け、この充填水ラインを充填水ヘッダを介して複数の水圧制御ユニットに接続し、この水圧制御ユニットは高圧ガスにより水を加圧状態で収容するアキュムレータを備え、このアキュムレータをスクラム弁を介して制御棒駆動機構に接続した制御棒駆動水圧システムにおいて、前記充填水ラインに、単独で前記アキュムレータへの必要圧力を充填し得る充填水ポンプを設置したことを特徴とする制御棒駆動水圧システム。
【請求項２】
制御棒駆動水ポンプの吐出側に圧力計を備えた充填水ラインを設け、この充填水ラインを充填水ヘッダを介して複数の水圧制御ユニットに接続し、この水圧制御ユニットは高圧ガスにより水を加圧状態で収容するアキュムレータを備え、このアキュムレータをスクラム弁を介して制御棒駆動機構に接続した制御棒駆動水圧システムにおいて、前記制御棒駆動水ポンプと同時に運転することにより前記アキュムレータへの必要圧力を充填し得る充填水ポンプを設置したことを特徴とする制御棒駆動水圧システム。
【請求項３】
前記充填水ラインに前記充填水ポンプをバイパスするバイパスラインを設け、前記制御棒駆動水ポンプで充填可能な圧力までは前記バイパスラインを介して前記制御棒駆動水ポンプによる圧力充填を行うようにした請求項２記載の制御棒駆動水圧システム。
【請求項４】
制御棒駆動水ポンプを設置した冷却水ラインと、スクラム用の充填水ラインとを設け、この充填水ラインを充填水ヘッダを介して複数の水圧制御ユニットに接続し、この水圧制御ユニットは高圧ガスにより水を加圧状態で収容するアキュムレータを備え、このアキュムレータをスクラム弁を介して制御棒駆動機構に接続した制御棒駆動水圧システムにおいて、前記アキュムレータへの必要圧力を単独で充填し得る充填水ポンプを前記充填水ラインに設置し、この充填水ポンプを設置した前記充填水ラインを、前記制御棒駆動水ポンプを設置した冷却水ラインから独立させたことを特徴とする制御棒駆動水圧システム。
【請求項５】
前記充填水ポンプの下流側に圧力計を設置し、この圧力計にてアキュムレータ充填圧力を監視し、充填圧力低下を検出した時に前記充填水ポンプを起動し、充填完了時にその充填水ポンプを停止する請求項１乃至４のいずれかに記載の制御棒駆動水圧システム。
【請求項６】
前記充填水ポンプの下流側に止め弁を設置し、前記アキュムレータへ充填した圧力が前記制御棒駆動水ポンプ側へリークすることを防止する請求項２記載の制御棒駆動水圧システム。
【請求項７】
前記充填水ポンプの下流側に遠隔操作弁を設置し、この遠隔操作弁の下流側に設置した圧力計によってアキュムレータ充填圧力を監視し、充填圧力低時に遠隔操作弁を自動的に開弁するとともに前記充填水ポンプを起動して、前記アキュムレータへの圧力充填を実施する一方、圧力充填完了時に前記遠隔操作弁を自動的に閉弁し、かつ前記充填水ポンプを自動停止する請求項１記載の制御棒駆動水圧システム。
【発明の詳細な説明】
【技術分野】
【０００１】
本発明は、改良型沸騰水型原子炉（ＡＢＷＲ）の制御棒駆動機構を水圧により緊急挿入（スクラム）するための制御棒駆動水圧システムに係り、特に制御棒駆動水の加圧源となるポンプ設備系統の構成を改良した制御棒駆動水圧システムに関するものである。
【背景技術】
【０００２】
ＡＢＷＲにおいては、原子炉出力制御や運転・停止等の動作を、電動・水圧駆動式改良型制御棒駆動機構（ＦＭＣＲＤ：以下、単に「制御棒駆動機構」という。）による制御棒の炉心出入れ制御により行っている。
【０００３】
この制御棒駆動機構は、通常運転時の出力制御を電動モータの駆動により行ない、またスクラム時の緊急駆動は水圧制御により行う構成とされている。すなわち、制御棒駆動機構の駆動源としては、通常運転時の出力制御用駆動源として電動モータが備えられ、スクラム時の制御棒緊急挿入用駆動源としては、制御棒駆動水の加圧源となるアキュムレータ（ＨＣＵアキュムレータ）および制御棒駆動水ポンプ（ＣＲＤポンプ）等からなる制御棒駆動水圧システム（ＣＲＤ水圧駆動系）が備えられている。
【０００４】
この制御棒駆動水圧システムでは、制御棒駆動水ポンプの吐出側に圧力計を備えた充填水ラインを備えており、この充填水ラインは、充填水ヘッダを介して複数の水圧制御ユニット（ＨＣＵ）に接続されている。水圧制御ユニットは、高圧ガスにより水を加圧状態で収容するＨＣＵアキュムレータを備え、このＨＣＵアキュムレータはスクラム弁を介して制御棒駆動機構に接続されている。そして、緊急時には、ＨＣＵアキュムレータから加圧水が制御棒駆動機構に供給され、数秒以下でスクラム動作が行われるようになっている。
【０００５】
そして、スクラムリセット後においては、ＨＣＵアキュムレータへ加圧水の再充填が行われる。従来では、このスクラムリセット後のＨＣＵアキュムレータに必要圧力を再充填するための手段として高揚程、高圧の制御棒駆動水ポンプ（制御棒駆動水ポンプ）が設けられている（例えば、特許文献１，２参照）。
【０００６】
この制御棒駆動水ポンプは、充填水ラインを介してＨＣＵアキュムレータへ加圧水を再充填するＨＣＵアキュムレータ充填機能のほか、ＣＲＤパージラインを介して制御棒駆動機構に冷却水を供給する機能（ＦＭＣＲＤ冷却水供給機能）や、原子炉冷却材浄化設備（ＲＩＰ／ＣＵＷ）ポンプへのパージ水を供給する機能等（ＲＩＰ／ＣＵＷポンプパージ水機能）等の各種機能を有している。これらの各機能毎に従来の制御棒駆動水ポンプのポンプ揚程の例を掲げると、下記の通りである。
【０００７】
ＦＭＣＲＤ冷却水供給：８ＭＰａ程度
ＨＣＵアキュムレータ充填：約１５ＭＰａ
ＲＩＰ／ＣＵＷポンプパージ水：約８ＭＰａ
【特許文献１】特開平８−６２３６６号公報
【特許文献２】特開平１０−３１０８８号公報
【発明の開示】
【発明が解決しようとする課題】
【０００８】
上述したように、ＨＣＵアキュムレータ充填機能を満足するためには、約１５ＭＰａという極めて高い揚程要求があるうえに、ＦＭＣＲＤ冷却水供給およびＲＩＰ／ＣＵＷポンプパージ水機能等も果す必要から、従来の制御棒駆動水圧システムにおいては、制御棒駆動水ポンプが、非常に高揚程、高圧の常時運転ポンプとなり、このため既設ＡＢＷＲプラントにおいて運転後長期間を経た場合には、性能劣化が問題となる。
【０００９】
また、ＡＢＷＲ用の制御棒駆動水ポンプは特別仕様のポンプとなっていることから、調達コストが従来のＢＷＲプラントの制御棒駆動水ポンプに比べて２倍程度の価格となり、電力消費も大きくなり、経済上の問題も生じる。
【００１０】
さらに、従来では、制御棒駆動水ポンプによる最高仕様圧力がＣＲＤ系流量制御弁、ＲＩＰ／ＣＵＷポンプパージラインのフローレビュータ／オリフィス、制御棒駆動水ポンプミニフローラインオリフィスあるいは制御棒駆動水ポンプミニフローライン手動ニードル弁等に対し、大きい差圧を生じさせ、エロージョンの発生原因となる可能性もある。
【００１１】
本発明はこのような事情に鑑みてなされたもので、水圧制御ユニットのＨＣＵアキュムレータへの充填水機能の全部または一部を低圧のＨＣＵアキュムレータ充填専用またはブースタ用のポンプで負担することにより、制御棒駆動水ポンプの長期性能維持および高揚程仕様の緩和等を図り、また従来のＢＷＲプラント並みの制御棒駆動水ポンプ仕様で済むようにして対劣化信頼性の向上、コスト削減、電力消費低減等が図れ、しかも制御棒駆動水ポンプの最高仕様圧力での常用を回避可能として各種弁およびオリフィス等のエロージョン発生回避が図れ、さらにスクラムリセット後のＨＣＵアキュムレータへの制御棒駆動水の充填を確実に行える制御棒駆動水圧システムを提供することを目的とする。
【課題を解決するための手段】
【００１２】
前記の目的を達成するために、請求項１に係る発明では、制御棒駆動水ポンプの吐出側に圧力計を備えた充填水ラインを設け、この充填水ラインを充填水ヘッダを介して複数の水圧制御ユニットに接続し、この水圧制御ユニットは高圧ガスにより水を加圧状態で収容するＨＣＵアキュムレータを備え、このＨＣＵアキュムレータをスクラム弁を介して制御棒駆動機構に接続した制御棒駆動水圧システムにおいて、前記充填水ラインに、単独で前記ＨＣＵアキュムレータへの必要圧力を充填し得る充填水ポンプを設置したことを特徴とする制御棒駆動水圧システムを提供する。
【００１３】
なお、本発明において望ましくは、充填水ポンプをＨＣＵアキュムレータ充填専用のポンプとし、揚程を１５ＭＰａ以上とする。
【００１４】
請求項２に係る発明では、制御棒駆動水ポンプの吐出側に圧力計を備えた充填水ラインを設け、この充填水ラインを充填水ヘッダを介して複数の水圧制御ユニットに接続し、この水圧制御ユニットは高圧ガスにより水を加圧状態で収容するＨＣＵアキュムレータを備え、このＨＣＵアキュムレータをスクラム弁を介して制御棒駆動機構に接続した制御棒駆動水圧システムにおいて、前記制御棒駆動水ポンプと同時に運転することにより前記ＨＣＵアキュムレータへの必要圧力を充填し得る充填水ポンプを設置したことを特徴とする制御棒駆動水圧システムを提供する。
【００１５】
この請求項２に係る発明において望ましくは、ＨＣＵアキュムレータ充填用のブースタポンプとし、揚程を５〜７ＭＰａ以上とする。
【００１６】
請求項３に係る発明では、前記充填水ラインに前記充填水ポンプをバイパスするバイパスラインを設け、前記制御棒駆動水ポンプで充填可能な圧力までは前記バイパスラインを介して前記制御棒駆動水ポンプによる圧力充填を行うようにした制御棒駆動水圧システムを提供する。
【００１７】
請求項４に係る発明では、制御棒駆動水ポンプを設置した冷却水ラインと、スクラム用の充填水ラインとを設け、この充填水ラインを充填水ヘッダを介して複数の水圧制御ユニットに接続し、この水圧制御ユニットは高圧ガスにより水を加圧状態で収容するＨＣＵアキュムレータを備え、このＨＣＵアキュムレータをスクラム弁を介して制御棒駆動機構に接続した制御棒駆動水圧システムにおいて、前記ＨＣＵアキュムレータへの必要圧力を単独で充填し得る充填水ポンプを前記充填水ラインに設置し、この充填水ポンプを設置した前記充填水ラインを、前記制御棒駆動水ポンプを設置した冷却水ラインから独立させたことを特徴とする制御棒駆動水圧システムを提供する。
【００１８】
なお、請求項４に係る発明において望ましくは、充填水ポンプをＨＣＵアキュムレータ充填専用のポンプとし、揚程を１５ＭＰａ以上とする。
【００１９】
請求項５に係る発明では、前記充填水ポンプの下流側に圧力計を設置し、この圧力計にてＨＣＵアキュムレータ充填圧力を監視し、充填圧力低下を検出した時に前記充填水ポンプを起動し、充填完了時にその充填水ポンプを停止する制御棒駆動水圧システムを提供する。
【００２０】
請求項６に係る発明では、前記充填水ポンプの下流側に止め弁を設置し、前記ＨＣＵアキュムレータへ充填した圧力が前記制御棒駆動水ポンプ側へリークすることを防止する制御棒駆動水圧システムを提供する。
【００２１】
請求項７に係る発明では、前記充填水ポンプの下流側に遠隔操作弁を設置し、この遠隔操作弁の下流側に設置した圧力計によってＨＣＵアキュムレータ充填圧力を監視し、充填圧力低時に遠隔操作弁を自動的に開弁するとともに前記充填水ポンプを起動して、前記ＨＣＵアキュムレータへの圧力充填を実施する一方、圧力充填完了時に前記遠隔操作弁を自動的に閉弁し、かつ前記充填水ポンプを自動停止する制御棒駆動水圧システムを提供する。
【発明の効果】
【００２２】
本発明によれば、ＨＣＵアキュムレータ充填機能を制御棒駆動水ポンプから分離させ、別ポンプを設置するなどのシステム変更を実施することにより、水圧制御ユニットのＨＣＵアキュムレータへの充填水機能の全部または一部を低圧のＨＣＵアキュムレータ充填専用またはブースタ用のポンプで負担することにより、制御棒駆動水ポンプの長期性能維持および高揚程仕様を緩和し、ＢＷＲプラントで採用している制御棒駆動水ポンプの適用を可能とすることができ、対劣化信頼性向上、コスト削減および電力消費低減等等を図ることができる。
【００２３】
また、本発明によれば、制御棒駆動水ポンプの最高仕様圧力での常用を回避することが可能となり、制御棒駆動水ポンプの健全性向上および制御棒駆動水ポンプコスト削減のほか、充填水ライン以外の最高仕様圧力の低減によるコスト削減、ＣＲＤ系流量制御弁の差圧条件緩和（エロージョン防止）、ＲＩＰ／ＣＵＷポンプパージラインのフローレビュータ／オリフィスの差圧条件緩和、制御棒駆動水ポンプミニフローラインオリフィスの差圧条件緩和および制御棒駆動水ポンプミニフローライン手動ニードル弁差圧条件緩和（エロージョン防止）、制御棒駆動機構の動力低減による低コスト化なども図れる。
【００２４】
また、ＨＣＵアキュムレータ充填に関しては時間的な要求がないことから、小容量、高揚程のポンプで何ら問題を生じることなく、確実に制御棒駆動水の充填を行える。
【発明を実施するための最良の形態】
【００２５】
以下、本発明に係る制御棒駆動水圧システムの実施形態について、図面を参照して説明する。
【００２６】
［第１実施形態］（図１）
図１は、本発明の第１実施形態による制御棒駆動水圧システム構成を示す系統図である。
【００２７】
この図１に示すように、本実施形態による制御棒駆動機構水圧駆動システム１では、制御棒駆動水ポンプ２の配管吐出側が、制御棒駆動機構に冷却水を供給するパージ水配管３と、ＨＣＵアキュムレータに充填水を供給する充填水配管４とに分岐されている。充填水配管４は途中にオリフィス５、逆支弁６、アキュムレータ７および圧力計８を順次設けて充填水ヘッダ９に接続されている。
【００２８】
充填水ヘッダ９には複数の充填水分岐管４ａ，４ｂ‥４ｎが接続されており、これらの分岐管４ａ，４ｂ‥４ｎは水圧制御ユニット（ＨＣＵ）１０にそれぞれ接続され、これにより充填水ライン１１が構成されている。
【００２９】
水圧制御ユニット１０は、充填水ライン１１の充填水分岐管４ａ，４ｂ‥４ｎに接続された駆動水配管１２を有し、この駆動水配管１２には充填水止め弁１３および充填水チェック弁１４が設けられている。
【００３０】
また、駆動水配管１２にはＨＣＵアキュムレータ１５が設けられ、ＨＣＵアキュムレータ１５には接続配管１６を介して窒素容器１７が接続されている。
【００３１】
さらに、駆動水配管１２にはＨＣＵアキュムレータ１５の下流側にスクラム弁１８が設けられ、このスクラム弁１８の下流側で駆動水配管１２が駆動水分岐管１２ａ，１２ｂとして分岐している。
【００３２】
そして、駆動水分岐管１２ａ，１２ｂは仕切弁１９ａ，１９ｂを介して制御棒駆動機構（ＣＲＤ）２０ａ，２０ｂに接続されている。また、制御棒駆動機構２０ａ，２０ｂに冷却水を供給するパージ水配管３は、駆動水配管１２下流側のスクラム弁１８に接続されてＣＲＤパージライン２１を形成している。なお、ＣＲＤパージライン２１の制御棒駆動水ポンプ２吐出側に、流量計２２および遠隔操作弁２３としての吐出弁が設けられている。
【００３３】
このような構成のもとで、本実施形態では、充填水ライン１１における充填水配管４の圧力計８上流側にポンプ配管４ａが接続されており、ポンプ配管４ａに、単独でＨＣＵアキュムレータ１５への必要圧力を充填し得る充填水ポンプ２４が設置されている。
【００３４】
この充填水ポンプ２４は、例えばプランジャポンプ等からなる高揚程・低圧ポンプであり、ＨＣＵアキュムレータ充填専用のポンプとして、揚程を１５ＭＰａ以上としたものである。
【００３５】
そして、充填水ポンプ２４の下流側に設置されている圧力計８にてＨＣＵアキュムレータ１５の充填圧力を監視し、充填圧力低下を検出した時に充填水ポンプ２４を起動し、充填完了時には充填水ポンプ２４を停止するようになっている。
【００３６】
また、充填水ポンプ２４の下流側には、遠隔操作弁２５としての吐出弁が設置され、この遠隔操作弁２５の下流側に設置した圧力計８によってＨＣＵアキュムレータ１５の充填圧力を監視し、充填圧力低時にこの遠隔操作弁２５を自動的に開弁するとともに、充填水ポンプ２４を起動して、ＨＣＵアキュムレータ１５への圧力充填を実施する一方、圧力充填完了時には遠隔操作弁２５としての吐出弁を自動的に閉弁し、かつ充填水ポンプ２４を自動停止するようになっている。
【００３７】
充填水配管４には、制御棒駆動水ポンプ２と充填水ポンプ２４との間の流路を開閉することができる流路切換え弁２６が設けられ、制御棒駆動水ポンプ２と充填水ポンプ２４とのいずれかの選択による単独ポンプ運転による圧力充填が行えるようになっている。
【００３８】
このような構成によると、ＨＣＵアキュムレータ１５への充填水供給機能を、充填水ポンプ２４によって制御棒駆動水ポンプ２から分離させるシステムにより、水圧制御ユニット１０のＨＣＵアキュムレータ１５への充填水機能の全部をＨＣＵアキュムレータ充填専用の充填水ポンプ２４で負担することができる。
【００３９】
したがって、スクラムリセット後に、制御棒駆動水ポンプ２に代えて充填水ポンプ２４を単独で運転することでＨＣＵアキュムレータ１５への必要圧力充填を行うことにより、制御棒駆動水ポンプ２の長期性能維持および高揚程仕様を緩和することができ、従来のＢＷＲプラントで採用している制御棒駆動水ポンプの適用を可能とすることができ、対劣化信頼性向上、コスト削減および電力消費低減等等を図ることができる。
【００４０】
また、本実施形態によれば、制御棒駆動水ポンプ２の最高仕様圧力での常用を回避することが可能となり、制御棒駆動水ポンプの健全性向上および制御棒駆動水ポンプ２のコスト削減が図れる。
【００４１】
さらに、充填水ライン１１以外の最高仕様圧力を低減することができるためコスト削減が図れるほか、ＣＲＤ系流量制御弁の差圧条件緩和（エロージョン防止）、ＲＩＰ／ＣＵＷポンプパージラインのフローレビュータ／オリフィスの差圧条件緩和、制御棒駆動水ポンプミニフローラインオリフィスの差圧条件緩和および制御棒駆動水ポンプミニフローライン手動ニードル弁差圧条件緩和（エロージョン防止）、制御棒駆動機構の動力低減による低コスト化なども併せて図れるようになる。
【００４２】
また、ＨＣＵアキュムレータ１５の充填作用に関しては時間的な要求がないことから、本実施形態の充填水ポンプ２４としては、小容量、高揚程のポンプの適用により何ら問題を生じることなく、確実に制御棒駆動水の充填を行うことができる。
【００４３】
［第２実施形態］（図２）
図２は、本発明の第２実施形態による制御棒駆動水圧システム構成を示す系統図である。
【００４４】
この図２に示すように、本実施形態による制御棒駆動機構水圧駆動システム１では、充填水ライン１１に、制御棒駆動水ポンプ２と同時に運転することによりＨＣＵアキュムレータ１５への必要圧力を充填し得る充填水ポンプ２４が設置されている。
【００４５】
すなわち、この充填水ポンプ２４は、ＨＣＵアキュムレータ充填用のブースタポンプとして充填水ライン１１に制御棒駆動水ポンプ２と直列に配設されている。この充填水ポンプ２４の揚程は、例えば５〜７ＭＰａ以上とされている。
【００４６】
また、充填水ライン１１には、充填水ポンプ２４をバイパスするバイパスライン２７が設けられ、このバイパス２７ａを開として、制御棒駆動水ポンプ２で充填可能な圧力まではバイパスライン２７を介して制御棒駆動水ポンプ２による圧力充填を行うことができるようになっている。
【００４７】
したがって、本実施形態では、例えば所定充填圧力まで制御棒駆動水ポンプ２を使用し、その後ブースタポンプとしての充填水ポンプ２４を追加起動して最終必要圧力まで充填作用を行う等の運用を行うことができる。
【００４８】
なお、充填水ポンプ２４の下流側には、止め弁２８が設置され、ＨＣＵアキュムレータ１５へ充填した圧力が制御棒駆動水ポンプ２側へリークすることを防止するようになっている。
【００４９】
また、本実施形態でも充填水ポンプの下流側に圧力計８が設置され、この圧力計８にてＨＣＵアキュムレータ充填圧力を監視し、充填圧力低下を検出した時に充填水ポンプ２４を起動し、充填完了時にその充填水ポンプ２４を停止する制御機構が組み込まれている。
【００５０】
また、充填水ポンプ２４の下流側には、遠隔操作弁２８としての吐出弁が設置され、この遠隔操作弁２８の下流側に設置した圧力計８によってＨＣＵアキュムレータ１５の充填圧力を監視し、充填圧力低時にこの遠隔操作弁２８を自動的に開弁するとともに、充填水ポンプ２４を起動して、ＨＣＵアキュムレータ１５への圧力充填を実施する一方、圧力充填完了時には遠隔操作弁２８を自動的に閉弁し、かつ充填水ポンプ２４を自動停止するようになっている。
【００５１】
その他の構成については、第１実施形態と略同様であるから、図２の対応部分に図１と同一の符号を付して説明を省略する。
【００５２】
以上の第２実施形態によれば、スクラムリセット後に制御棒駆動水ポンプ２と充填水ポンプ２２とを順に起動して、その後同時運転し、あるいは同時起動することで、ＨＣＵアキュムレータ１５への必要圧力再充填を行うことができる。
【００５３】
したがって、水圧制御ユニット１０のＨＣＵアキュムレータ１５への充填水機能の一部をＨＣＵアキュムレータ充填専用の充填水ポンプ２４で負担することにより、ＨＣＵアキュムレータ１５への必要圧力充填を行ない、制御棒駆動水ポンプ２の長期性能維持および高揚程仕様を緩和することができる。また、従来のＢＷＲプラントで採用している制御棒駆動水ポンプの適用を可能とすることができ、対劣化信頼性向上、コスト削減および電力消費低減等等を図ることができる。
【００５４】
また、本実施形態によっても、制御棒駆動水ポンプ２の最高仕様圧力での常用を回避することが可能となり、制御棒駆動水ポンプの健全性向上および制御棒駆動水ポンプ２のコスト削減が図れる。
【００５５】
さらに、充填水ライン１１以外の最高仕様圧力を低減することができるためコスト削減が図れるほか、ＣＲＤ系流量制御弁の差圧条件緩和（エロージョン防止）、ＲＩＰ／ＣＵＷポンプパージラインのフローレビュータ／オリフィスの差圧条件緩和、制御棒駆動水ポンプミニフローラインオリフィスの差圧条件緩和および制御棒駆動水ポンプミニフローライン手動ニードル弁差圧条件緩和（エロージョン防止）、制御棒駆動機構の動力低減による低コスト化なども併せて図れるようになる。
【００５６】
また、ＨＣＵアキュムレータ１５の充填作用に関しては時間的な要求がないことから、本実施形態の充填水ポンプ２４としては、小容量、高揚程のポンプの適用により何ら問題を生じることなく、確実に制御棒駆動水の充填を行うことができる。
【００５７】
なお、充填水ラインの圧力を監視しつつ、圧力低となった場合に、追加した充填水ポンプを起動させて、所定の加圧を行うことができる。
【００５８】
［第３実施形態］（図３）
図３は、本発明の第３実施形態による制御棒駆動水圧システム構成を示す系統図である。
【００５９】
この図３に示すように、本実施形態による制御棒駆動機構水圧駆動システム１では、制御棒駆動水ポンプ２を設置した冷却水ライン２１と、スクラム用の充填水ポンプ２４を設置した充填水ライン１１とが互いに独立したラインとして設けられている。
【００６０】
すなわち、ＨＣＵアキュムレータ１５への必要圧力を単独で充填し得る充填水ポンプ２４が充填水ライン１１に設置され、この充填水ポンプ２４を設置した充填水ラインが、制御棒駆動水ポンプ２を設置した冷却水ライン２１から独立している。
【００６１】
充填水ライン１１には、本実施形態でも充填水ポンプの下流側に圧力計８が設置され、この圧力計８にてＨＣＵアキュムレータ充填圧力を監視し、充填圧力低下を検出した時に充填水ポンプ２４を起動し、充填完了時にその充填水ポンプ２４を停止する制御機構が組み込まれている。
【００６２】
また、充填水ポンプ２４の下流側には、遠隔操作弁２９としての吐出弁が設置され、この遠隔操作弁２９の下流側に設置した圧力計８によってＨＣＵアキュムレータ１５の充填圧力を監視し、充填圧力低時にこの遠隔操作弁２９を自動的に開弁するとともに、充填水ポンプ２４を起動して、ＨＣＵアキュムレータ１５への圧力充填を実施する一方、圧力充填完了時には遠隔操作弁２９を自動的に閉弁し、かつ充填水ポンプ２４を自動停止するようになっている。
【００６３】
一方、冷却水ライン２１側においては、制御棒駆動水ポンプ２の駆動により、制御棒駆動機構１２ａ，１２ｂにパージ水が供給される。
【００６４】
その他の構成については、第１実施形態と略同様であるから、図３の対応部分に図１と同一の符号を付して説明を省略する。
【００６５】
以上の第３実施形態によれば、ＨＣＵアキュムレータ１５への充填水供給機能を、充填水ポンプ２４によって制御棒駆動水ポンプ２から分離させるシステムとし、水圧制御ユニット１０のＨＣＵアキュムレータ１５への充填水機能の全部をＨＣＵアキュムレータ充填専用の充填水ポンプ２４で負担するようになっている。
【００６６】
したがって、スクラムリセット後に、制御棒駆動水ポンプ２に代えて充填水ポンプ２４を単独で運転することでＨＣＵアキュムレータ１５への必要圧力充填を行うことにより、制御棒駆動水ポンプ２の長期性能維持および高揚程仕様を緩和することができ、従来のＢＷＲプラントで採用している制御棒駆動水ポンプの適用を可能とすることができ、対劣化信頼性向上、コスト削減および電力消費低減等等を図ることができる。
【００６７】
また、本実施形態によっても、制御棒駆動水ポンプ２の最高仕様圧力での常用を回避することが可能となり、制御棒駆動水ポンプの健全性向上および制御棒駆動水ポンプ２のコスト削減が図れる。
【００６８】
さらに、充填水ライン１１以外の最高仕様圧力を低減することができるためコスト削減が図れるほか、ＣＲＤ系流量制御弁の差圧条件緩和（エロージョン防止）、ＲＩＰ／ＣＵＷポンプパージラインのフローレビュータ／オリフィスの差圧条件緩和、制御棒駆動水ポンプミニフローラインオリフィスの差圧条件緩和および制御棒駆動水ポンプミニフローライン手動ニードル弁差圧条件緩和（エロージョン防止）、制御棒駆動機構の動力低減による低コスト化なども併せて図れるようになる。
【００６９】
また、ＨＣＵアキュムレータ１５の充填作用に関しては時間的な要求がないことから、本実施形態の充填水ポンプ２４としては、小容量、高揚程のポンプの適用により何ら問題を生じることなく、確実に制御棒駆動水の充填を行うことができる。
【図面の簡単な説明】
【００７０】
【図１】本発明に係る制御棒駆動水圧システムの第１実施形態を示す系統構成図。
【図２】本発明に係る制御棒駆動水圧システムの第２実施形態を示す系統構成図。
【図３】本発明に係る制御棒駆動水圧システムの第３実施形態を示す系統構成図。
【符号の説明】
【００７１】
１  制御棒駆動機構水圧駆動システム
２  制御棒駆動水ポンプ
３  パージ水配管
４  充填水配管
４ａ  ポンプ配管
５  オリフィス
６  逆支弁
７  アキュムレータ
８  圧力計
９  充填水ヘッダ
４ａ，４ｂ‥４ｎ  充填水分岐管
１０  水圧制御ユニット（ＨＣＵ）
１１  充填水ライン
１２  駆動水配管
１２ａ，１２ｂ  駆動水分岐管
１３  充填水止め弁
１４  充填水チェック弁
１５  ＨＣＵアキュムレータ
１６  接続配管
１７  窒素容器
１８  スクラム弁
１９ａ，１９ｂ  仕切弁
２０ａ，２０ｂ  制御棒駆動機構（ＣＲＤ）
２１  ＣＲＤパージライン
２２  流量計
２３  遠隔操作弁
２４  充填水ポンプ
２５  遠隔操作弁
２６  流路切換え弁
２７  バイパスライン
２７ａ  バイパス
２８  遠隔操作弁
２９  遠隔操作弁
【図１】
2006046973.tif 000003
【図２】
2006046973.tif 000004
【図３】
2006046973.tif 000005